(57)【要約】【課題】本発明は、ユーザの障害になりにくく、必要なときにディスプレイを保護し、遮光できるシールドユニットおよび方法を提供しようとするものである。【解決手段】ディスプレイシールドは、結合部材を介してディスプレイ格納部のトラックに配置され、ディスプレイを覆う第１の位置、ディスプレイを遮光する第２の位置、およびディスプレイから後退した第３の位置に選択的に向けることができるようにした。【選択図】図１
2005057753.tif 000002
【特許請求の範囲】
【請求項１】
ディスプレイが設けられたディスプレイ格納部に結合され、少なくとも、前記ディスプレイを覆う第１の位置、前記ディスプレイを入射光から遮光する第２の位置、および前記ディスプレイから後退した第３の位置に選択的に向けられるディスプレイシールドと、
前記ディスプレイシールドに結合され、前記ディスプレイ格納部に設けられたトラックに配置されると、前記トラック内を摺動し、前記ディスプレイシールドが、少なくとも、前記第１の位置、前記第２の位置、および前記第３の位置に摺動して変わることができる結合部材と、を備えることを特徴とするシールドユニット。
【請求項２】
前記ディスプレイシールドに結合され、前記ディスプレイ格納部の反対側に設けられた第２のトラックに配置されると、前記第２のトラック内を摺動する第２の結合部材を更に設け、前記結合部材および前記第２の結合部材は、前記トラックおよび前記第２のトラック内をそれぞれ摺動し、前記ディスプレイシールドが、前記第１の位置、前記第２の位置、および前記第３の位置に選択的に向けられることを特徴とする請求項１に記載のシールドユニット。
【請求項３】
前記ディスプレイシールドと前記結合部材とに固定された取り付け部材をさらに有することを特徴とする請求項１に記載のシールドユニット。
【請求項４】
前記結合部材に固定された取り付け部材と、
前記取り付け部材と前記ディスプレイシールドを結合するピンであって、前記ディスプレイシールドが前記ピンを中心に回転するとき、前記ディスプレイシールドを前記第２の位置から第４の位置に変える前記ピンと、をさらに有することを特徴とする請求項１に記載のシールドユニット。
【請求項５】
前記ディスプレイシールドに結合された少なくとも１つの補助遮光スクリーンをさらに有し、前記補助遮光スクリーンは、前記ディスプレイへの入射光をさらに遮光することを特徴とする請求項１に記載のシールドユニット。
【請求項６】
ディスプレイの前面を覆う第１の位置にディスプレイシールドを向けるステップと、
前記ディスプレイを入射光から遮光する第２の位置に前記ディスプレイシールドを向けるステップと、
前記ディスプレイシールドを後退させる第３の位置に前記ディスプレイシールドを向けるステップとを含むことを特徴とする方法。
【請求項７】
前記ディスプレイシールドを第４の位置に向けるため、ピンを中心に前記ディスプレイシールドを回転させるステップをさらに含むことを特徴とする請求項６に記載の方法。
【請求項８】
ディスプレイの前面を覆う第１の位置にディスプレイシールドを向ける手段と、
前記ディスプレイを入射光から遮光する第２の位置に前記ディスプレイシールドを向ける手段と、
前記ディスプレイシールドを後退させる第３の位置に前記ディスプレイシールドを向ける手段とを備えることを特徴とする装置。
【請求項９】
前記ディスプレイが設けられたディスプレイ格納部のトラックに沿って、結合部材を摺動する手段をさらに有し、前記結合部材が、前記ディスプレイシールドと前記ディスプレイ格納部を結合させ、前記ディスプレイシールドの位置が前記第１の位置、前記第２の位置、および前記第３の位置の１つに調整可能であることを特徴とする請求項８に記載の装置。
【請求項１０】
回転手段をさらに有し、前記ディスプレイシールドが、選択的な遮光位置になるように前記回転手段を中心に回転可能であることを特徴とする請求項８に記載の装置。
【発明の詳細な説明】
【技術分野】
【０００１】
本発明は、包括的には、ディスプレイをシールドすることに関し、特に、ディスプレイシールドを備えた画像取り込みデバイス上のディスプレイをシールドするユニットおよび方法に関する。
【背景技術】
【０００２】
ディスプレイが画像取り込みデバイスから外側に突出しているとき、カメラ上にあるディスプレイ等を保護することが望まれる。さらに、直射光からディスプレイを遮光し、それによってディスプレイ上で表示される画像の視認性を改善することも望まれる。液晶ディスプレイ（ＬＣＤ）および発光ダイオード（ＬＥＤ）ディスプレイは、日光または他の高い周囲照明条件において直接見ることは特に困難である可能性がある。
【０００３】
シールド、カバー、フード等は、間接日光から遮光するために利用されている。カバーの中には、使用されていないときにディスプレイを覆って、ディスプレイを物理的に保護するように構成することができるものもある。しかし、このようなシールド、カバー、またはフードは、動作条件によっては、ユーザの障害になる可能性がある。
【発明の開示】
【発明が解決しようとする課題】
【０００４】
本発明は、ユーザの障害になりにくく、必要なときにディスプレイを保護し、遮光できるシールドユニットおよび方法を提供しようとするものである。
【課題を解決するための手段】
【０００５】
本発明は、ディスプレイをシールドするためのユニットおよび方法に関する。簡潔に述べると、一実施形態は、ディスプレイが設けられているディスプレイ格納部に結合されたディスプレイシールドであって、ディスプレイシールドが、少なくとも、ディスプレイを覆う第１の位置、ディスプレイを遮光する第２の位置、およびディスプレイから後退した第３の位置に選択的に向けることができる、ディスプレイシールドを備えている。
【０００６】
別の実施形態は、ディスプレイの前面を覆う第１の位置にディスプレイシールドを向けるステップ、ディスプレイを遮光する第２の位置にディスプレイシールドを向けるステップ、およびディスプレイシールドを後退させる第３の位置にディスプレイシールドを向けるステップを含む。
【０００７】
図面内の構成要素は、互いに必ずしも同縮尺率に従っていない。同様の参照符号は、いくつかの図にわたって対応する部分を示している。
【発明を実施するための最良の形態】
【０００８】
ディスプレイシールド１１８（図１）の実施形態は、ディスプレイ１０４に対して少なくとも３つの位置に向けられるように構成されている。第１の位置では、ディスプレイ１０４を覆って、ディスプレイ１０４を物理的に保護するか、またはシールドする。第２の位置では、ディスプレイ１０４に対して入射日光および他の入射光を遮光またはシールドし、それによって、ディスプレイ１０４上に表示される画像の視認性を改善する。第３の位置では、シールドユニット１０２がディスプレイ１０４を保護または遮光するために用いられていないとき、都合よい後退した位置にディスプレイシールド１１８が動かされている。
【０００９】
図１は、本発明を具体化する画像取り込みデバイス１００の１つの形態の側面図１０を示す略図である。図２は、画像取り込みデバイス１００（図１）の正面図２０を示す略図である。便宜上、画像取り込みデバイス１００は、ビデオ画像取り込みデバイスのタイプとして示されている。本発明の実施形態は、他のタイプの画像取り込みデバイスにも同様に当てはまることを理解されたい。さらに、他の実施形態は、携帯電話、携帯情報端末、ポータブルコンピュータ、テーブルトップディスプレイ、テレビ、レーダー、ソナー、および魚群探知器などの、ディスプレイを用いる他の電子デバイスに当てはまる。
【００１０】
画像取り込みデバイス１００は、シールドユニット１０２、ディスプレイ１０４、ディスプレイ格納部１０６、コネクター１０８、および本体１１０を含む。コネクター１０８は、１つの実施形態では、ディスプレイ格納部１０６が本体１１０から外側に延びるように構成されている。画像取り込みデバイス１００の実施形態はまた、レンズ１１２、光学ハンドル１１４、および制御部１１６を有する。
【００１１】
シールドユニット１０２の１つの実施形態は、ディスプレイシールド１１８および２つの取り付け部材１２０（図２）を有する。取り付け部材１２０は、ディスプレイシールド１１８をディスプレイ格納部１０６に取り付けるように構成されている。
【００１２】
図３Ａから図３Ｃは、ディスプレイシールド１１８の実施形態を示す図である。図３Ａから図３Ｃの側面図に示されているように、ディスプレイシールド１１８は、ディスプレイ１０４（図１）およびディスプレイ格納部１０６に対して選択的に３つの位置に向けることができる。ディスプレイ格納部１０６は、トラック３０２を有する。以下でさらに詳細に述べるように、結合部材４０２（図４）は、取り付け部材１２０に結合され、トラック内を摺動してディスプレイシールド１１８を位置調整するように構成されている。ディスプレイ格納部１０６の反対側（図示せず）は、他のトラックで同様に構成されている。したがって、ディスプレイシールド１１８の反対側にある他の結合部材は、他のトラック内で摺動するように構成され、それによって、ディスプレイシールド１１８がさらに支持されている。
【００１３】
１つの実施形態では、トラック３０２は、ディスプレイ格納部１０６において凹所をなしている。凹所をなすトラック３０２は、ディスプレイ格納部１０６内に作られるか、またはディスプレイ格納部１０６のチャネル、溝等に加えられることができる。他の実施形態では、トラック３０２は、凹所をなしていないが、ディスプレイ格納部１０６の表面と同一の高さかまたはそれを上回る高さに隆起している。
【００１４】
図３Ａは、ディスプレイ１０４を覆うかまたはシールドし、それによってディスプレイ１０４を物理的に保護する第１の位置にあるディスプレイシールド１１８を示す。便宜上、この第１の位置を、「保護」位置と呼ぶ。したがって、ディスプレイシールド１１８は、ディスプレイ１０４の少なくとも露出したエリアを覆うのに十分な大きさであることが理解されるであろう。
【００１５】
図３Ｂは、入射日光および他の入射光源からディスプレイ１０４を遮光またはシールドし、それによってディスプレイ１０４上に表示される画像の視認性を改善する第２の位置にあるディスプレイシールド１１８を示す。便宜上、この第２の位置を「遮光」位置と呼ぶ。したがって、ディスプレイシールド１１８は、ディスプレイ１０４の少なくともいくつかの領域を遮光するのに十分な大きさであり、さもなければ、日光または他の光がディスプレイ１０４に入射するときを考慮することが困難になり得ることを理解されたい。
【００１６】
図３Ｃは、ディスプレイ１０４の観察に邪魔にならないように後退した第３の位置にあるディスプレイシールド１１８を示す。便宜上、この第３の位置を「後退」位置と呼ぶ。したがって、ディスプレイシールド１１８は、後退位置にあるとき、ディスプレイシールド１１８が画像取り込みデバイス１００の動作に干渉しないように十分小さくなっていることを理解されたい。
【００１７】
図４は、ディスプレイシールド１１８、２つの取り付け部材１２０、および２つの結合部材４０２を有するシールドユニット１０２の実施形態を示す図である。便宜上、結合部材４０２を、以下、「ピン」４０２と呼ぶ。１つの実施形態では、取り付け部材１２０の近位端４０４は、ディスプレイシールド１１８の端部にしっかりと取り付けられ、取り付け部材１２０は、ディスプレイシールド１１８からほぼ垂直方向に外側に延びる。ピン４０２の近位端４０６は、取り付け部材１２０の遠位端４０８にしっかりと取り付けられ、ピン４０２は、取り付け部材１２０からほぼ垂直方向に外側に延び、ピン４０２は、ほぼ互いに内側を向いている。
【００１８】
ピン４０２の遠位端４１０は、トラック３０２（図３Ａ〜図３Ｃ）に摺動可能に取り付けられている。ディスプレイシールド１１８、取り付け部材１２０、およびピン４０２は、上記のように、互いにしっかりと取り付けられているため、ピン４０２の遠位端４１０は、ディスプレイシールド１１８が図３Ａ〜図３Ｃに示される位置に向きを変えても、トラック３０２内に留まっている。
【００１９】
いくつかの実施形態では、遠位端４１０は、遠位端４１０がトラック３０２から滑り落ちないように、それぞれのトラック３０２と連結する突起部等を有してもよい。遠位端４１０および凹所をなすトラック３０２は、１つの実施形態では、ディスプレイシールド１１８が上記図３Ａ〜図３Ｃの位置のうちの１つに向けられると、ディスプレイシールド１１８の位置を固定する手段を有するように構成されている。トラック、チャネル、溝等を用いた任意の適当な器具、およびトラック、チャネル、溝等に挿入される対応した結合部材４０２は、本発明の実施形態として用いることができる。
【００２０】
遮光位置にあるディスプレイシールド１１８を示す図３Ｂを参照すると、ディスプレイシールド１１８は、時計回りに回転させると、図３Ａに示される保護位置になる。さらに、ディスプレイシールド１１８は、反時計回りに回転させると、次に、トラック３０２の限界まで下方に摺動し、図３Ｃに示される後退位置になる。
【００２１】
図５は、補助遮光スクリーン５０２を有するシールドユニット１０２の実施形態を示す図である。補助遮光スクリーン５０２は、ディスプレイシールド１１８からほぼ下方かつ／または外側に延び、ディスプレイ１０４への直接日光および他の入射光をさらに遮光するように構成されている。１つの実施形態では、補助遮光スクリーン５０２は、ディスプレイシールド１１８および／または取り付け部材１２０にしっかりと取り付けられる。他の実施形態では、補助遮光スクリーン５０２は、ヒンジ手段５０４で取り付けられ、補助遮光スクリーン５０２をユーザが望む位置に再配置できるようになっている。他の実施形態としては、補助遮光スクリーン５０２をディスプレイシールド１１８またはベアリング、ボールおよびソケットカップラー、ヒンジ等の取り付け部材１２０に結合する他のタイプの調整可能な結合手段５０４を用いて、補助遮光スクリーン５０２の位置を調整する。
【００２２】
図６は、端部の１つをディスプレイシールド１１８の端部６０４およびその付近にしっかりと取り付けたピン６０２を有するシールドユニット１０２の実施形態を示す図である。ピン６０２が取り付け部材１２０の近位端４０４に配置された穴６０６にあるとき、ディスプレイシールド１１８は、ユーザが望む選択的な遮光位置にピン６０２を中心に選択して回転させることができ、それによって、ディスプレイへの選択的な遮光が可能になる。他の実施形態では、ピン６０２は、取り付け部材１２０に外側に突出すようにしっかりと取り付けられ、ピン６０２の突出した端部が、ディスプレイシールド１１８上の対応する凹所に挿入されるようになっている。さらに他の実施形態では、ピン６０２は、ディスプレイシールド１１８から外側に突出するように取り付けられ、ピン６０２の他端が、取り付け部材１２０の対応する凹所に挿入されるようになっている。このように、これらの様々な実施形態では、ディスプレイシールド１１８は、矢印６０８に示されるように、ピン６０２を中心にディスプレイシールドを回転させることによって、望ましい位置に移動させることができる。ピン６０２の代わりに、他の実施形態は、ほぼピン６０２の位置にあるベアリング、ボールおよびソケットカップラー、ヒンジ等の他の回転手段を用いて、ディスプレイシールド１１８および取り付け部材１２０を結合し、矢印６０８で示すように、ディスプレイシールド１１８が回転するのを可能にする。
【００２３】
図７は、ディスプレイ格納部１０６に存在する単一のトラック３０２に沿って摺動することによって再配置されるように構成されたディスプレイシールド１１８の実施形態を示す略図である。この実施形態では、単一の取り付け部材１２０は、ディスプレイシールド１１８およびディスプレイ格納部１０６を単一のトラック３０２を介して結合する。便宜上、トラック３０２は、ディスプレイ格納部１０６のほぼ中心に存在するものとして示されている。トラック３０２は、ディスプレイ格納部１０６の側部を含む、ディスプレイ格納部１０６上の任意の都合のよい位置に配置できることを理解されたい。
【００２４】
上記の実施形態では、少なくとも部材（複数可）１２０およびディスプレイシールド１１８を含むシールドユニット１０２は、成形または射出されたプラスチックおよび／または金属などの単一部品から作製されてもよい。他の実施形態は、ねじ、接着剤、クリップ、スナップ、溶接等の任意の適当な手段を用いてともに取り付けられる分離した別個の部品でもよい。
【００２５】
シールドユニット１０２および／またはディスプレイ格納部１０６の実施形態は、プラスチック、樹脂、ポリマー化合物、金属等の任意の適当な材料から構成されてもよい。さらに、シールドユニット１０２および／またはディスプレイ格納部１０６の個々の構成要素には、様々な材料を用いてもよい。シールドユニット１０２および／またはディスプレイ格納部１０６の実施形態は、消費者に望まれるデザイン、形状、および／または色で作製されてもよい。
【００２６】
図８は、ディスプレイシールド１１８（図１〜図７）の位置を調整する方法の実施形態を示すフローチャートである。図８は、ディスプレイシールド１１８（図１〜図７）の動作を示すフローチャート８００である。図８のフローチャート８００は、ディスプレイシールド１１８が上記のように少なくとも３つの異なる位置に向けられるようにシールドユニット１０２（図２）を具体化する実施形態のアーキテクチャ、機能、および動作を示す。
【００２７】
ディスプレイシールド１１８が、最初、ディスプレイ１０４（図３Ａ）を保護する位置にあると想定すると、プロセスはステップ８０２で開始する。ステップ８０４では、ディスプレイシールド１１８は、取り付け部材１２０を、凹所をなすトラック３０２に沿って摺動させ、次に、ディスプレイシールド１１８を図３Ｂに示される位置に回転させることによって、ディスプレイを遮光する位置に向けられる（移動される）。ステップ８０６のピン６０２（図６）を用いる実施形態では、ディスプレイシールド１１８をピン６０２を中心に回転させて、ディスプレイ１０４に対する遮光を調整することによって、ディスプレイシールド１１８の位置が調整される。位置調整可能な補助遮光スクリーン５０２（図５）を用いる実施形態では、補助遮光スクリーン５０２の位置は、ステップ８０８で調整され、ディスプレイ１０４をさらに遮光する。
【００２８】
ステップ８１０では、ディスプレイシールド１１８は、ほぼ９０°だけディスプレイシールド１１８を反時計回りに回転させ、次に、取り付け部材１２０を、凹所をなすトラック３０２に沿って下方に図３Ｃに示される位置に摺動させることによって、ディスプレイ格納部１０６の背後の後退した位置に向けられる（移動される）。このプロセスは、ステップ８１２で終了する。
【００２９】
上記のプロセスは、保護位置から、後退した位置への遮光位置までディスプレイシールド１１８を再配置させることを理解されたい。ディスプレイシールド１１８は、取り付け部材１２０を、凹所をなすトラック３０２に沿って摺動させることにより、上記のいずれかの現在の位置から他の位置へ再配置させることができる。
【００３０】
上記の実施形態は、単に、本発明の実施形態の例であることを強調しておきたい。多くの変形および変更が、上記の実施形態に対して行うことができる。このような変更および変形はすべて、本明細書において本開示の範囲に包含され、添付の特許請求の範囲によって保護されるものである。
【図面の簡単な説明】
【００３１】
【図１】画像取り込みデバイスの１つの実施形態の側面図を示す略図である。
【図２】画像取り込みデバイスの１つの実施形態の正面図を示す略図である。
【図３Ａ】シールドユニットの実施形態を示す図である。
【図３Ｂ】シールドユニットの実施形態を示す図である。
【図３Ｃ】シールドユニットの実施形態を示す図である。
【図４】ディスプレイシールド、２つの部材、および２つの結合部材を有するシールドユニットの実施形態を示す図である。
【図５】補助遮光スクリーンを有するシールドユニットの実施形態を示す図である。
【図６】ディスプレイシールドが、ユーザが望む位置に回転されるようにピンを有するシールドユニットの実施形態を示す図である。
【図７】ディスプレイ格納部に設けられた単一のトラックに沿って摺動することによって再配置されるディスプレイシールドの実施形態を示す図である。
【図８】ディスプレイシールドの位置を調整するための方法の実施形態を示すフローチャートである。
【符号の説明】
【００３２】
１０４  ディスプレイ
１０６  ディスプレイ格納部
１１８  ディスプレイシールド
１２０  取り付け部材
３０２  トラック
４０２  結合部材
６０２  ピン
【図１】
2005057753.tif 000003
【図２】
2005057753.tif 000004
【図３Ａ】
2005057753.tif 000005
【図３Ｂ】
2005057753.tif 000006
【図３Ｃ】
2005057753.tif 000007
【図４】
2005057753.tif 000008
【図５】
2005057753.tif 000009
【図６】
2005057753.tif 000010
【図７】
2005057753.tif 000011
【図８】
2005057753.tif 000012